【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
多入力多出力（ＭＩＭＯ）送信のための受信データを取得し、前記受信データから１以上の信号成分を、前記１以上の信号成分の１以上のタイミング特性に基づいて抑圧することによってフィルタ処理済データを得るためにフロントエンドフィルタに基づいて前記受信データを処理し、第１のフレームに対する検波データを得るために少なくとも１つの第１のコンバイナ行列に基づいて前記フィルタ処理済データを処理し、前記第１のフレームに対する復号データを得るために前記第１のフレームに対する前記検波データを処理し、前記第１のフレームが正しく復号されているかを決定し、前記第１のフレームが正しく復号されたとき前記第１のフレームによる干渉を除去し、第２のフレームに対する検波データを得るために少なくとも１つの第２のコンバイナ行列及び前記第１のフレームに対する前記復号データに基づいて前記フィルタ処理済データを処理するように構成される少なくとも１つのプロセッサと、
前記少なくとも１つのプロセッサに結合されるメモリと、
を具備する通信装置。
【請求項２】
前記フロントエンドフィルタは前記フィルタ処理済データを得るために前記受信データの非オンタイム信号成分を処理し、各コンバイナ行列はチャネル区分コードに対する検波データを得るために個々のチャネル区分コードに対して前記フィルタ処理済データのオンタイム信号成分を合成する、請求項１の装置。
【請求項３】
前記少なくとも１つのプロセッサは前記受信データ及びパイロットデータに基づいて前記フロントエンドフィルタを取得する、請求項１の装置。
【請求項４】
前記第１及び第２のフレームは少なくとも１つのチャネル区分コードで送信され、前記少なくとも１つのプロセッサは前記フィルタ処理済データに基づいてチャネル区分コード毎に第１のコンバイナ行列を取得する、請求項１の装置。
【請求項５】
前記少なくとも１つのプロセッサは更に前記チャネル区分コードに使用される送信行列、前記チャネル区分コードに対するゲイン、前記フロントエンドフィルタ、及びチャネルレスポンス推定の少なくとも１つに基づいてチャネル区分コード毎に前記第１のコンバイナ行列を取得する、請求項４の装置。
【請求項６】
前記少なくとも１つのプロセッサは前記フィルタ処理済データに基づいてチャネル区分コード毎に第２のコンバイナ行列を取得する、請求項４の装置。
【請求項７】
前記少なくとも１つのプロセッサは更に前記第１のフレームに対する前記復号データに基づいてチャネル区分コード毎に前記第２のコンバイナ行列を取得する、請求項６の装置。
【請求項８】
前記少なくとも１つのプロセッサは更に前記チャネル区分コードに使用される送信行列、前記チャネル区分コードに対するゲイン、前記フロントエンドフィルタ、及びチャネルレスポンス推定値の少なくとも１つに基づいてチャネル区分コード毎に前記第２のコンバイナ行列を取得する、請求項６の装置。
【請求項９】
前記少なくとも１つのプロセッサは前記第１のフレームのオンタイム信号成分による干渉を推定し、
前記第１のフレームのオンタイム信号成分による前記干渉を前記フィルタ処理済データから除去する、請求項１の装置。
【請求項１０】
前記少なくとも１つのプロセッサは前記フィルタ処理済データ及び前記第１のフレームに対する前記復号データに基づいて前記第１のフレームによる前記干渉を推定するための少なくとも１つの重みを決定する、請求項１の装置。
【請求項１１】
前記少なくとも１つのプロセッサは前記フロントエンドフィルタのタイムスパンに対する前記第１のフレームによる前記干渉を推定し、入力データを得るために前記受信データから前記第１のフレームによる前記干渉を除去し、前記第２のフレームに対する前記フロントエンドフィルタを更新し、前記第２のフレームに対する前記フィルタ処理済データを得るため更新された前記フロントエンドフィルタに基づいて前記入力データを処理する、請求項１の装置。
【請求項１２】
前記少なくとも１つのプロセッサは任意のフレームからの干渉の非除去に基づいて前記第１のフレームの受信信号品質を推定し、前記第１のフレームのオンタイム信号成分による干渉の除去に基づいて前記第２のフレームの受信信号品質を推定する、請求項１の装置。
【請求項１３】
前記少なくとも１つのプロセッサは前記第１及び第２のフレームに対する送信行列に基づいて前記第１のフレームの受信信号品質を推定し、ゼロに設定された前記第１のフレームに対応する列を持つ変形送信行列に基づいて前記第２のフレームの受信信号品質を推定する、請求項１の装置。
【請求項１４】
前記少なくとも１つのプロセッサは更に前記フロントエンドフィルタ、前記少なくとも１つの第１のコンバイナ行列、前記少なくとも１つの第２のコンバイナ行列、前記第１及び第２のフレームに使用される少なくとも１つのチャネル区分コードに対する少なくとも１つのゲイン、及びチャネルレスポンス推定に基づいて前記第１及び第２のフレームの前記受信信号品質を推定する、請求項１３の装置。
【請求項１５】
前記少なくとも１つのプロセッサは少なくとも１つの送信行列に対する複数のフレームの受信信号品質及び前記複数のフレームに対する少なくとも１つの再生順序を推定し、送信行列及び最高性能を持つ再生順序を選択し、選択された前記送信行列及び選択された前記再生順序を含むフィードバック情報を送る、請求項１の装置。
【請求項１６】
前記１以上の信号成分の前記１以上のタイミング特性は、前記１以上の信号成分が前記受信データの非オンタイム信号成分であることを示す、請求項１の装置。
【請求項１７】
多入力多出力（ＭＩＭＯ）送信のための受信データを取得すること、
前記受信データから１以上の信号成分を、前記１以上の信号成分の１以上のタイミング特性に基づいて抑圧することによってフィルタ処理済データを得るためにフロントエンドフィルタに基づいて前記受信データを処理すること、
第１のフレームに対する検波データを得るために少なくとも１つの第１のコンバイナ行列に基づいて前記フィルタ処理済データを処理すること、
前記第１のフレームに対する復号データを得るために前記第１のフレームに対する前記検波データを処理すること、
前記第１のフレームが正しく復号されているかを決定すること、
前記第１のフレームによる干渉を除去し、第２のフレームに対する検波データを得るために少なくとも１つの第２のコンバイナ行列及び前記第１のフレームが正しく復号されたとき前記第１のフレームに対する前記復号データに基づいて前記フィルタ処理済データを処理すること、
を含む、通信方法。
【請求項１８】
前記フィルタ処理済データに基づいて前記第１及び第２のフレームに使用される少なくとも１つのチャネル区分コード毎に第１のコンバイナ行列を取得すること、
前記フィルタ処理済データ及び前記第１のフレームに対する前記復号データに基づいてチャネル区分コード毎に第２のコンバイナ行列を取得すること、
を更に含む、請求項１７の方法。
【請求項１９】
前記少なくとも１つの第２のコンバイナ行列に基づいて前記フィルタ処理済データを処理することは、
前記第１のフレームのオンタイム信号成分による干渉を推定すること、
前記フィルタ処理済データから前記第１のフレームのオンタイム信号成分による前記干渉を除去すること、
を含む、請求項１７の方法。
【請求項２０】
任意のフレームからの干渉の非除去に基づいて前記第１のフレームの受信信号品質を推定すること、
前記第１のフレームのオンタイム信号成分による干渉の除去に基づいて前記第２のフレームの受信信号品質を推定すること、
を更に含む、請求項１７の方法。
【請求項２１】
多入力多出力（ＭＩＭＯ）送信のための受信データを取得する手段と、
前記受信データから１以上の信号成分を、前記１以上の信号成分の１以上のタイミング特性に基づいて抑圧することによってフィルタ処理済データを得るためにフロントエンドフィルタに基づいて前記受信データを処理する手段と、
第１のフレームに対する検波データを得るために少なくとも１つの第１のコンバイナ行列に基づいて前記フィルタ処理済データを処理する手段と、
前記第１のフレームに対する復号データを得るために前記第１のフレームに対する前記検波データを処理する手段と、
前記第１のフレームが正しく復号されているかを決定する手段と、
前記第１のフレームが正しく復号されたとき前記第１のフレームによる干渉を除去し、第２のフレームに対する検波データを得るために少なくとも１つの第２のコンバイナ行列及び前記第１のフレームに対する前記復号データに基づいて前記フィルタ処理済データを処理する手段と、
を含む、通信装置。
【請求項２２】
前記フィルタ処理済データに基づいて前記第１及び第２のフレームに使用される少なくとも１つのチャネル区分コード毎に第１のコンバイナ行列を取得する手段と、
前記フィルタ処理済データ及び前記第１のフレームに対する前記復号データに基づいてチャネル区分コード毎に第２のコンバイナ行列を取得する手段と、
を更に含む、請求項２１の装置。
【請求項２３】
前記少なくとも１つの第２のコンバイナ行列に基づいて前記フィルタ処理済データを処理する手段は、
前記第１のフレームのオンタイム信号成分による干渉を推定する手段と、
前記フィルタ処理済データから前記第１のフレームのオンタイム信号成分による前記干渉を除去する手段と、
を含む、請求項２２の装置。
【請求項２４】
任意のフレームからの干渉の非除去に基づいて前記第１のフレームの受信信号品質を推定する手段と、
前記第１のフレームのオンタイム信号成分による干渉の除去に基づいて前記第２のフレームの受信信号品質を推定する手段と、
を更に含む、請求項２２の装置。
【請求項２５】
多入力多出力（ＭＩＭＯ）送信のための受信データをコンピュータに取得させるコードと、
前記受信データから１以上の信号成分を、前記１以上の信号成分の１以上のタイミング特性に基づいて抑圧することによってフィルタ処理済データを得るためにフロントエンドフィルタに基づいて前記受信データを前記コンピュータに処理させるコードと、
第１のフレームに対する検波データを得るために少なくとも１つの第１のコンバイナ行列に基づいて前記フィルタ処理済データを前記コンピュータに処理させるコードと、
前記第１のフレームに対する復号データを得るために前記第１のフレームに対する前記検波データを前記コンピュータに処理させるコードと、
前記第１のフレームが正しく復号されているかを前記コンピュータに決定させるコードと、
前記第１のフレームが正しく復号されたとき前記第１のフレームによる干渉を除去し、第２のフレームに対する検波データを得るために少なくとも１つの第２のコンバイナ行列及び前記第１のフレームに対する前記復号データに基づいて前記フィルタ処理済データを前記コンピュータに処理させるコードと、
を含む、コンピュータ読み取り可能記憶媒体。